(57)【要約】【課題】  プレゼンテーション用画面に対して手書き入力された入力オブジェクトを適切な位置に配置した画像を生成することが可能な画像生成装置等を提供すること。【解決手段】  プロジェクター１００に含まれる画像生成装置１０２が、プレゼンテーション用画面に対して手書き入力された入力オブジェクトの内容を示す入力オブジェクトデータ１２６を記憶する記憶部１２０と、プレゼンテーション用画面における入力オブジェクトの入力位置よりも上の表示位置を決定する決定部１３０と、決定部１３０による決定に応じて、入力オブジェクトを上記表示位置に表示する画像であって、かつ、プレゼンテーション用画面に表示されるプレゼンテーション画像を生成する画像生成部１４０を含んで構成される。【選択図】  図５
2012173911.tif 000002
【特許請求の範囲】
【請求項１】
プレゼンテーション用画面に対して手書き入力された入力オブジェクトの内容を示す入力オブジェクトデータを記憶する記憶部と、
前記プレゼンテーション用画面における前記入力オブジェクトの入力位置よりも上の表示位置を決定する決定部と、
前記決定部による決定に応じて、前記入力オブジェクトを前記表示位置に表示する画像であって、かつ、前記プレゼンテーション用画面に表示されるプレゼンテーション画像を生成する画像生成部と、
を含む画像生成装置。
【請求項２】
請求項１に記載の画像生成装置において、
前記記憶部は、表示位置が確定済みの既存オブジェクトの表示位置および内容を示す既存オブジェクトデータを記憶し、
前記決定部は、前記既存オブジェクトデータで示される前記既存オブジェクトの表示位置に応じて前記入力オブジェクトの表示位置を決定する、
画像生成装置。
【請求項３】
請求項２に記載の画像生成装置において、
前記決定部によって前記表示位置が決定された前記入力オブジェクトに関する前記入力オブジェクトデータを、前記既存オブジェクトデータに更新する更新部を含む画像生成装置。
【請求項４】
請求項２または請求項３に記載の画像生成装置において、
前記決定部は、前記既存オブジェクトデータと、前記入力オブジェクトデータとに基づき、前記既存オブジェクトおよび前記入力オブジェクトが前記プレゼンテーション用画面の表示領域に占める割合が閾値以上であるという条件を満たすかどうかを判定し、
前記画像生成部は、前記決定部によって前記条件を満たすと判定されると、前記入力オブジェクトを含む画像を新たな前記プレゼンテーション画像として生成する、
画像生成装置。
【請求項５】
請求項１〜４のいずれか１項に記載の画像生成装置において、
前記入力オブジェクトの表示位置に関する指示を示す指示情報を受け付ける受付部を含み、
前記決定部は、前記指示情報が受け付けられた場合に、前記指示に応じて前記入力オブジェクトの表示位置を決定し、前記指示情報が受け付けられなかった場合に、デフォルトの設定に応じて前記入力オブジェクトの表示位置を決定する、
画像生成装置。
【請求項６】
請求項５に記載の画像生成装置において、
前記画像生成部は、前記入力オブジェクトの内容に関する内容情報を受け付けるための指示画像を生成し、
前記受付部は、前記入力オブジェクトの内容に関する内容情報を受け付け、
前記更新部は、前記内容情報に基づき、前記入力オブジェクトデータを更新する、
画像生成装置。
【請求項７】
請求項１〜６のいずれか１項に記載の画像生成装置と、
前記プレゼンテーション画像を前記プレゼンテーション用画面に投写する投写部と、
を含むプロジェクター。
【請求項８】
画像生成装置が、
プレゼンテーション用画面に対して手書き入力された入力オブジェクトの内容を示す入力オブジェクトデータを記憶し、
前記プレゼンテーション用画面における前記入力オブジェクトの入力位置よりも上の表示位置を決定し、
前記入力オブジェクトを前記表示位置に表示する画像であって、かつ、前記プレゼンテーション用画面に表示されるプレゼンテーション画像を生成する、
画像生成方法。
【発明の詳細な説明】
【技術分野】
【０００１】
本発明は、画像生成装置、プロジェクターおよび画像生成方法に関する。
【背景技術】
【０００２】
例えば、教室において、ホワイトボードに問題画像が表示された状態で、生徒が電子ペンを用いてホワイトボードに回答を書き込むことが行われている。例えば、特開２０１１−２６５０号公報では、ＰＣ（Personal Computer）とプロジェクターを用いて、カメラで撮像された、ポインティングデバイスの先端から出射される赤外光の位置に応じた軌跡を含む合成画像を生成して投写することが記載されている。教室等の広い場所においては、後ろの席の人にとっても見やすいように、ホワイトボード等の上側領域に文字等を書き込むことが必要になる。
【先行技術文献】
【特許文献】
【０００３】
【特許文献１】特開２０１１−２６５０号公報
【発明の概要】
【発明が解決しようとする課題】
【０００４】
しかし、例えば、小学生や車椅子を使用している人にとっては、ホワイトボード等の上側領域に文字等を書き込むことは困難である。また、当該上側領域に文字等を書き込むために指示棒のように細長い電子ペンを使用することも考えられるが、通常の電子ペンと比べて使い勝手がよくない。さらに、プレゼンテーション用画面に対して手書き入力された文字等の入力オブジェクトを手動で移動する手法も手間がかかる。
【０００５】
本発明にかかるいくつかの態様は、上記課題を解決することにより、プレゼンテーション用画面に対して手書き入力された入力オブジェクトを適切な位置に配置した画像を生成することが可能な画像生成装置、プロジェクターおよび画像生成方法を提供するものである。
【課題を解決するための手段】
【０００６】
本発明の態様の１つである画像生成装置は、プレゼンテーション用画面に対して手書き入力された入力オブジェクトの内容を示す入力オブジェクトデータを記憶する記憶部と、前記プレゼンテーション用画面における前記入力オブジェクトの入力位置よりも上の表示位置を決定する決定部と、前記決定部による決定に応じて、前記入力オブジェクトを前記表示位置に表示する画像であって、かつ、前記プレゼンテーション用画面に表示されるプレゼンテーション画像を生成する画像生成部と、を含むことを特徴とする。
【０００７】
また、本発明の態様の１つである画像生成方法は、画像生成装置が、プレゼンテーション用画面に対して手書き入力された入力オブジェクトの内容を示す入力オブジェクトデータを記憶し、前記プレゼンテーション用画面における前記入力オブジェクトの入力位置よりも上の表示位置を決定し、前記決定部による決定に応じて、前記入力オブジェクトを前記表示位置に表示する画像であって、かつ、前記プレゼンテーション用画面に表示されるプレゼンテーション画像を生成することを特徴とする。
【０００８】
本発明によれば、画像生成装置は、入力オブジェクトを入力位置よりも上の表示位置に表示するプレゼンテーション画像を生成することにより、プレゼンテーション用画面に対して手書き入力された入力オブジェクトを適切な位置に配置した画像を生成することができる。
【０００９】
また、前記記憶部は、表示位置が確定済みの既存オブジェクトの表示位置および内容を示す既存オブジェクトデータを記憶し、前記決定部は、前記既存オブジェクトデータで示される前記既存オブジェクトの表示位置に応じて前記入力オブジェクトの表示位置を決定してもよい。これによれば、画像生成装置は、既存オブジェクトの表示位置に応じた適切な位置に入力オブジェクトが表示される画像を生成することができる。
【００１０】
また、前記画像生成装置は、前記決定部によって前記表示位置が決定された前記入力オブジェクトに関する前記入力オブジェクトデータを、前記既存オブジェクトデータに更新する更新部を含んでもよい。これによれば、画像生成装置は、入力オブジェクトデータの内容を既存オブジェクトデータに反映することができるため、繰り返し入力オブジェクトが入力される場合であっても、適切な位置に入力オブジェクトが表示される画像を生成することができる。
【００１１】
また、前記決定部は、前記既存オブジェクトデータと、前記入力オブジェクトデータとに基づき、前記既存オブジェクトおよび前記入力オブジェクトが前記プレゼンテーション用画面の表示領域に占める割合が閾値以上であるという条件を満たすかどうかを判定し、前記画像生成部は、前記決定部によって前記条件を満たすと判定されると、前記入力オブジェクトを含む画像を新たな前記プレゼンテーション画像として生成してもよい。これによれば、画像生成装置は、既存オブジェクトおよび入力オブジェクトがプレゼンテーション用画面の表示領域に占める割合が多くなる場合であっても、入力オブジェクトを含む画像を新たなプレゼンテーション画像として生成することにより、ユーザーにとって観察しやすい画像を生成することができる。
【００１２】
また、前記画像生成装置は、前記入力オブジェクトの表示位置に関する指示を示す指示情報を受け付ける受付部を含み、前記決定部は、前記指示情報が受け付けられた場合に、前記指示に応じて前記入力オブジェクトの表示位置を決定し、前記指示情報が受け付けられなかった場合に、デフォルトの設定に応じて前記入力オブジェクトの表示位置を決定してもよい。これによれば、画像生成装置は、指示またはデフォルトの設定に応じて表示位置を決定することにより、追加されたオブジェクトを適切な位置に配置した画像を生成することができる。
【００１３】
また、前記画像生成部は、前記入力オブジェクトの内容に関する内容情報を受け付けるための指示画像を生成し、前記受付部は、前記入力オブジェクトの内容に関する内容情報を受け付け、前記更新部は、前記内容情報に基づき、前記入力オブジェクトデータを更新してもよい。これによれば、画像生成装置は、入力オブジェクトの内容を反映した画像を生成することができる。
【００１４】
また、本発明の態様の１つであるプロジェクターは、上記画像生成装置と、前記プレゼンテーション画像を前記プレゼンテーション用画面に投写する投写部と、を含むことを特徴とする。
【００１５】
本発明によれば、プロジェクターは、指示またはデフォルトの設定に応じて表示位置を決定することにより、追加されたオブジェクトを適切な位置に配置した画像を生成し、投写することができる。
【図面の簡単な説明】
【００１６】
【図１】第１の実施例における投写状況を示す図である。
【図２】第１の実施例におけるプロジェクターの外観図である。
【図３】第１の実施例における入力完了前のプレゼンテーション画像の一例を示す図である。
【図４】第１の実施例における入力完了後のプレゼンテーション画像の一例を示す図である。
【図５】第１の実施例におけるプロジェクターの機能ブロック図である。
【図６】第１の実施例におけるプロジェクターのハードウェアブロック図である。
【図７】第１の実施例における投写手順の一例を示すフローチャートである。
【図８】第１の実施例におけるインタラクティブメニュー画像の一例を示す図である。
【図９】第２の実施例における入力完了前のプレゼンテーション画像の一例を示す図である。
【図１０】第２の実施例における入力完了後のプレゼンテーション画像の一例を示す図である。
【図１１】第３の実施例における入力完了前のプレゼンテーション画像の一例を示す図である。
【図１２】第３の実施例における入力完了後のプレゼンテーション画像の一例を示す図である。
【図１３】第４の実施例におけるプレゼンテーション画像の遷移の一例を示す図である。
【発明を実施するための形態】
【００１７】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１８】
（第１の実施例）
図１は、第１の実施例における投写状況を示す図である。プロジェクター１００が、金具３０によって教室の壁に取り付けられ、壁面にあるスクリーン（プレゼンテーション用画面）１０にプレゼンテーション画像２０を投写する。小学生である生徒４０は、投写されたプレゼンテーション画像２０に対し、電子ペン５０を用いて文字を書き込む。
【００１９】
図２は、第１の実施例におけるプロジェクター１００の外観図である。図２のプロジェクター１００は、図１の設置状態が上下逆になった状態（底面が天面になった状態）を示す。プロジェクター１００は、プレゼンテーション画像２０を含む領域を撮像する受付部１６０、操作部１７０、投写部１９０等を含む。
【００２０】
図３は、第１の実施例における入力完了前のプレゼンテーション画像２００の一例を示す図である。また、図４は、第１の実施例における入力完了後のプレゼンテーション画像２０１の一例を示す図である。なお、インタラクティブメニュー画像２２０は、手書き文字等を示す入力オブジェクト６０の内容に関する内容情報を受け付けるための指示画像の一種であり、電子ペン５０による選択操作によって入力オブジェクト６０の線種、色、表示位置等を選択するための画像である。
【００２１】
図１に示すように、生徒４０は背が低いため、プレゼンテーション画像２００の上側領域（例えば、プレゼンテーション画像２０の垂直方向の中央よりも上の領域、プレゼンテーション画像２０を垂直方向に３等分したときの最も上の領域等）に文字を書き込むことができない。プロジェクター１００は、このような場合であっても、生徒４０の指示またはデフォルトの設定に応じて、手書き文字を示す入力オブジェクト６０を移動させた既存オブジェクト７０を、プレゼンテーション画像２０１の上側領域（例えば、プレゼンテーション画像２０１の左上）等に表示する機能を有している。
【００２２】
次に、このような機能を有するプロジェクター１００の機能ブロックについて説明する。図５は、第１の実施例におけるプロジェクター１００の機能ブロック図である。プロジェクター１００は、操作ボタン等によってユーザーの操作を受け付ける操作部１７０と、プレゼンテーション画像２０１等を生成する画像生成装置１０２と、プレゼンテーション画像２０１等をスクリーン１０に投写する投写部１９０を含んで構成されている。画像生成装置１０２は、記憶部１２０と、入力オブジェクトの表示位置を決定する決定部１３０と、決定部１３０による決定に応じて、入力オブジェクトを含むプレゼンテーション画像２０１等を生成する画像生成部１４０と、記憶部１２０内のデータを更新する更新部１５０と、入力オブジェクトの表示位置に関する指示を示す指示情報等を受け付ける受付部１６０を含んで構成されている。
【００２３】
また、記憶部１２０は、メニュー画像を生成するためのメニュー画像データ１２２、表示位置が確定済みのオブジェクトの表示位置および内容を示す既存オブジェクトデータ１２４、表示位置が未確定のオブジェクトの内容を示す入力オブジェクトデータ１２６等を記憶している。
【００２４】
なお、プロジェクター１００は、以下のハードウェアを用いてこれらの各部として機能してもよい。図６は、第１の実施例におけるプロジェクター１００のハードウェアブロック図である。例えば、プロジェクター１００は、記憶部１２０はＲＡＭ９２０、フラッシュＲＯＭ９２２等、決定部１３０、更新部１５０はＣＰＵ９３０等、画像生成部１４０は画像処理回路９４０等、受付部１６０はＣＭＯＳセンサー９６０等、操作部１７０は操作パネル９７０等、投写部１９０は、ランプ駆動回路９９０、ランプ９９１、照明光学系９９２、液晶駆動回路９９３、液晶ライトバルブ９９４、投写レンズ９９５等を用いてもよい。また、これらの各部には電源９１０から電力が供給されてもよい。
【００２５】
次に、本実施例におけるプレゼンテーション画像２００、２０１の投写手順について説明する。図７は、第１の実施例における投写手順の一例を示すフローチャートである。例えば、生徒４０は、電子ペン５０の右クリックボタンを押すことにより、インタラクティブメニュー画像２２０の投写指示を行う。画像生成部１４０は、当該投写指示に応じてインタラクティブメニュー画像２２０を含むプレゼンテーション画像２００、２０１を生成し、投写部１９０は、当該プレゼンテーション画像２００、２０１を投写する（ステップＳ１）。
【００２６】
図８は、第１の実施例におけるインタラクティブメニュー画像２２０の一例を示す図である。プレゼンテーション画像２０２に含まれるインタラクティブメニュー画像２２０は、複数のアイコン２３０−１〜２３０−２２と、閉じるボタン２４０を含む。各アイコン２３０には、自由曲線の描画、図形の描画、ページ送り等の機能が割り当てられている。例えば、アイコン２３０−２１には、電子ペン５０を用いて入力した入力オブジェクトを左上に移動する機能が割り当てられ、アイコン２３０−２２には、電子ペン５０を用いて入力した入力オブジェクトを右上に移動する機能が割り当てられている。
【００２７】
生徒４０は、例えば、電子ペン５０を用いて、自由曲線を描くためのアイコン２３０を選択し、文字や図形をプレゼンテーション画像２００〜２０２に描画する。より具体的には、例えば、受付部１６０は、スクリーン１０を撮像し、決定部１３０は、撮像画像に含まれる電子ペン５０の先端の赤外光を検出し、プレゼンテーション画像２００〜２０２における当該赤外光の位置を決定し、更新部１５０は、当該位置に応じて入力オブジェクトデータ１２６を更新する（ステップＳ２）。画像生成部１４０は、メニュー画像データ１２２、既存オブジェクトデータ１２４、入力オブジェクトデータ１２６に基づき、電子ペン５０による入力軌跡を元の画像に合成したプレゼンテーション画像２００〜２０２を生成し、投写部１９０は、当該プレゼンテーション画像２００〜２０２を投写する（ステップＳ３）。
【００２８】
決定部１３０は、撮像画像を対象として電子ペン５０の先端の赤外光を検出しなくなってから一定時間（例えば、５秒、１０秒等）が経過したかどうかを判定することにより、あるいは、書き込み終了操作が行われた（例えば、別のアイコン２３０が選択された等）かどうかを判定することにより、書き込みが終了したかどうかを判定する（ステップＳ４）。書き込みが終了した場合、決定部１３０は、アイコン２３０−２１またはアイコン２３０−２２が指示されることによる移動指示があるかどうかを判定する（ステップＳ５）。移動指示があった場合、決定部１３０は、当該移動指示に応じて移動方法（例えば、左上に移動、右上に移動等）を決定する（ステップＳ６）。
【００２９】
また、決定部１３０は、移動指示がないまま一定時間（例えば、５秒、１０秒等）が経過したかどうかを判定する（ステップＳ７）。移動指示がないまま一定時間が経過した場合、決定部１３０は、デフォルトの移動方法（例えば、左上に移動等）に決定する（ステップＳ８）。
【００３０】
更新部１５０は、決定部１３０によって決定された移動方法に応じて、入力オブジェクトデータ１２６に基づき、既存オブジェクトデータ１２４を更新する（ステップＳ９）。例えば、決定部１３００は、移動方法が左上である場合、現在のプレゼンテーション画像２００〜２０２に存在する既存オブジェクトに重ならない最も左上の位置を演算し、更新部１５０は、オブジェクトＩＤ、当該左上の位置、当該左上の位置に応じた右下の位置、画素の色、画素が存在する位置等を示す入力オブジェクトに関するデータを既存オブジェクトデータ１２４に追加し、当該データを入力オブジェクトデータ１２６から削除する。
【００３１】
また、画像生成部１４０は、更新部１５０によって更新された既存オブジェクトデータ１２４に基づき、プレゼンテーション画像２００〜２０２を生成し、投写部１９０は、当該プレゼンテーション画像２００〜２０２をスクリーン１０に投写する（ステップＳ１０）。
【００３２】
以上のように、本実施例によれば、プロジェクター１００は、入力位置よりも上の表示位置に入力オブジェクトを表示するプレゼンテーション画像２０１、２０２を生成し、投写することができる。また、本実施例によれば、プロジェクター１００は、ユーザーの指示またはデフォルトの設定に応じて表示位置を決定することにより、電子ペン５０によって追加された入力オブジェクト６０を適切な位置に配置したプレゼンテーション画像２０１、２０２を生成し、投写することができる。これらにより、プロジェクター１００は、例えば、小学校等で小学生等が電子ペン５０を用いて文字等をプレゼンテーション画像２０の下のほうに書き込んだ場合でも、上側領域に当該文字等を表示するプレゼンテーション画像２０１、２０２を投写することができ、当該文字等をより見やすく表示することができる。
【００３３】
（第２の実施例）
図９は、第２の実施例における入力完了前のプレゼンテーション画像２０３の一例を示す図である。また、図１０は、第２の実施例における入力完了後のプレゼンテーション画像２０４の一例を示す図である。
【００３４】
第１の実施例の入力オブジェクト６０は、横書きの文字列であったため、デフォルトの設定に応じて左上に移動されたが、プレゼンテーション画像２０３に示すように、入力オブジェクト６１が縦書きの文字列である場合、プレゼンテーション画像２０４のように、右上に移動されてもよい。
【００３５】
なお、決定部１３０は、入力オブジェクトデータ１２６に含まれる座標情報（例えば、入力オブジェクト６０、６１を囲む矩形の左上座標位置および右下座標位置）に基づいて、縦書きか横書きかを決定してもよいし、入力オブジェクトデータ１２６に基づいて入力オブジェクト６０、６１の文字認識処理を実行して縦書きか横書きかを決定してもよい。
【００３６】
本実施例によれば、プロジェクター１００は、入力オブジェクト６１の形状や内容に応じて適切な位置に入力オブジェクト６１を表示するプレゼンテーション画像２０４を生成、投写することができる。
【００３７】
（第３の実施例）
図１１は、第３の実施例における入力完了前のプレゼンテーション画像２０５の一例を示す図である。また、図１２は、第３の実施例における入力完了後のプレゼンテーション画像２０６の一例を示す図である。なお、図１１、図１２における２点鎖線は座標をわかりやすくするために記載したものであり、実際には表示されない。
【００３８】
例えば、プレゼンテーション画像２０５に示すように、演算問題を示す既存オブジェクト７２〜７４および生徒４０による回答内容を示す既存オブジェクト７５、７６が表示された状態で、生徒４０によって既存オブジェクト７４に対する回答（入力オブジェクト６２）が電子ペン５０によって書かれたものとする。
【００３９】
このような場合、既存オブジェクトデータ１２４では、あらかじめ既存オブジェクト７２〜７４は演算問題を示すオブジェクトとして設定され、既存オブジェクト７５、７６は、入力オブジェクトデータ１２６として生成された時点で回答を示すオブジェクトとして設定される。すなわち、図１１に示す状態では、既存オブジェクトデータ１２４は、３つの演算問題を示す既存オブジェクト７２〜７４と、２つの回答を示す既存オブジェクト７５、７６を示す。
【００４０】
決定部１３０は、既存オブジェクトデータ１２４を参照することにより、入力オブジェクト６２が３つ目の演算問題に対する回答であると判定することができる。決定部１３０は、既存オブジェクトデータ１２４に含まれる既存オブジェクト７４（３つ目の演算問題）の座標情報に基づき、入力オブジェクト６２を含む矩形の左上座標位置が、既存オブジェクト７４の右上座標位置と一致するように、入力オブジェクト６２に対応した既存オブジェクト７７の座標を決定する。更新部１５０は、当該決定に応じて既存オブジェクトデータ１２４に含まれる既存オブジェクト７７の座標情報を更新する。なお、決定部１３０は、他の回答を示す既存オブジェクト７６の座標情報も考慮し、既存オブジェクト７６と重ならないように、既存オブジェクト７７の座標を決定することも可能である。
【００４１】
以上のように、本実施例によれば、プロジェクター１００は、入力オブジェクトデータ１２６の内容を既存オブジェクトデータ１２４に反映することができるため、繰り返し入力オブジェクト６２が入力される場合であっても、適切な位置に入力オブジェクト６２が表示されるプレゼンテーション画像２０６を生成し、投写することができる。また、本実施例によれば、プロジェクター１００は、既存オブジェクト７２〜７６の種別を判定することにより、適切な位置に回答を示す既存オブジェクト７７が表示されるプレゼンテーション画像２０６を生成し、投写することができる。
【００４２】
（第４の実施例）
決定部１３０は、既存オブジェクトデータ１２６と、入力オブジェクトデータ１２４に基づき、既存オブジェクトおよび入力オブジェクトがプレゼンテーション用画面の表示領域に占める割合が閾値以上であるという条件を満たすかどうかを判定し、画像生成部１４０は、決定部１３０によって上記条件を満たすと判定されると、入力オブジェクトを含む画像を新たなプレゼンテーション画像として生成してもよい。
【００４３】
図１３は、第４の実施例におけるプレゼンテーション画像２０７〜２０９の遷移の一例を示す図である。例えば、１〜５の箇条書きに対応した既存オブジェクト７８〜８２を含むプレゼンテーション画像２０７が表示された状態で、生徒４０によって６番目の入力オブジェクト６３が電子ペン５０で書かれたものとする。なお、図１２〜図１４において、１点鎖線は閾値（ここでは表示領域の垂直方向の上側７５％）を示し、２点鎖線は矩形を示すが、これらの線は実際には表示されない。
【００４４】
プレゼンテーション画像２０７に示すように、入力オブジェクト６３を既存オブジェクト８２の下に移動させても閾値以上になってしまう。このような場合、決定部１３０は、既存オブジェクト７８〜８２および入力オブジェクト６３がプレゼンテーション用画面の表示領域に占める割合が閾値以上であるという条件を満たすと判定する。さらに、画像生成部１４０は、既存オブジェクト７８〜８２を示すプレゼンテーション画像２０８を生成した後、入力オブジェクト６３に対応した既存オブジェクト８３を含む新たなプレゼンテーション画像２０９を生成する。なお、このような場合、更新部１５０は、既存オブジェクト７８〜８３を示す情報をページ番号と関連付けて既存オブジェクトデータ１２４に記憶してもよい。
【００４５】
以上のように、本実施例によれば、プロジェクター１００は、既存オブジェクト７８〜８２および入力オブジェクト６３がプレゼンテーション用画面の表示領域に占める割合が多くなる場合であっても、入力オブジェクト６３を含む画像を新たなプレゼンテーション画像２０９として生成することにより、ユーザーにとって観察しやすい画像を生成することができる。
【００４６】
（その他の実施例）
なお、本発明の適用は上述した実施例に限定されず、変形が可能である。例えば、上述した実施例の構成を組み合わせてもよい。例えば、プロジェクター１００は、第２の実施例と第３の実施例の構成を組み合わせ、縦書きの漢字の書き込み問題に対する回答を適切な位置に配置したプレゼンテーション画像を投写することも可能である。
【００４７】
また、決定部１３０は、入力オブジェクトが縦長形状であって、かつ、縦書きの漢字の書き込み問題に対する回答等であれば、既存オブジェクト（例えば、問題等）の下の位置を当該入力オブジェクトの表示位置として決定し、入力オブジェクトが縦長形状であって、かつ、縦書きの箇条書き等であれば、既存オブジェクト（例えば、箇条書き等）の左の位置を当該入力オブジェクトの表示位置として決定してもよい。また、決定部１３０は、入力オブジェクトが横長形状であって、かつ、横書きの漢字の書き込み問題に対する回答等であれば、既存オブジェクトの右の位置を当該入力オブジェクトの表示位置として決定し、入力オブジェクトが横長形状であって、かつ、横書きの箇条書き等であれば、既存オブジェクトの下の位置を当該入力オブジェクトの表示位置として決定してもよい。これらによれば、プロジェクター１００は、入力オブジェクトの形状と既存オブジェクトの属性に応じた適切な位置に入力オブジェクトが表示される画像を投写することができる。
【００４８】
また、受付部１６０は必須の構成ではなく、決定部１３０は、入力オブジェクトの入力位置よりも上の表示位置（例えば、既存オブジェクトがない場合は最も上の位置、既存オブジェクトがある場合は既存オブジェクトの下の位置等）を決定してもよい。また、上述した実施例では、デフォルトの表示位置は左上であるが、例えば、中央上、右上等であってもよい。また、第４の実施例における閾値は垂直方向における７５％に限定されず、使用環境等に応じて任意の数値を適用可能である。例えば、上記閾値は、既存オブジェクトおよび入力オブジェクトの各矩形領域の面積の合計値や、１画像における輝度ヒストグラム等に対して設定されてもよい。
【００４９】
また、プロジェクター１００の有するコンピューターは、情報記憶媒体に記憶されたプログラムを読み取って決定部１３０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。また、画像生成装置１０２を実装可能な装置は、プロジェクター１００に限定されず、例えば、テレビ、液晶モニター、ＰＣ、携帯情報端末等であってもよい。
【００５０】
また、画像生成装置１０２を実装可能な装置は、プロジェクター１００に限定されず、プレゼンテーション画面で手書き入力を受け付ける機能を有する大型ディスプレイや、ホワイトボード等であってもよい。また、上述した実施例では、入力オブジェクトは文字列であるが、手書き入力であるため、記号や図形等であってもよい。プロジェクター１００は、入力オブジェクトが文字を形成しないものであっても、上述した矩形等を用いて入力オブジェクトの座標や領域を決定し、移動して表示することが可能である。
【００５１】
また、上述した実施例では、電子ペン５０の右クリックボタンを押すことにより、インタラクティブメニュー画像２２０の投写指示を行うものとしたが、電子ペン５０の右クリックボタンの押下以外の操作によってインタラクティブメニュー画像２２０の投写指示を行う構成も可能である。例えば、電子ペン５０がホワイトボード等に押し付けられたまま一定の時間が経過した場合に、インタラクティブメニュー画像２２０の投写指示を行うものとしてもよい。なお、上述した実施例では、プロジェクター１００を、金具３０を介して壁に固定したが、プロジェクター１００を演壇等に据え置くこともできる。したがって、プロジェクター１００の操作部１７０が操作されることにより、インタラクティブメニュー画像２２０の投写指示を行うようにプロジェクター１００を構成してもよい。この場合、電子ペン５０の操作に不慣れなユーザーでも、確実にインタラクティブメニュー画像２２０を投写させることが可能である。
【００５２】
また、プロジェクター１００は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりに有機ＥＬ素子、シリコン発光素子、レーザーダイオード、ＬＥＤ等の固体光源を含む自己発光素子を採用してもよい。また、プロジェクター１００の機能を複数の装置（例えば、ＰＣとプロジェクター等）に分散してもよい。
【符号の説明】
【００５３】
１０  スクリーン（プレゼンテーション用画面）、２０、２００〜２０９  プレゼンテーション画像、３０  金具、４０  生徒、５０  電子ペン、６０〜６３  入力オブジェクト、７０〜８３  既存オブジェクト、１００  プロジェクター、１０２  画像生成装置、１２０  記憶部、１２２  メニュー画像データ、１２４  既存オブジェクトデータ、１２６  入力オブジェクトデータ、１３０  決定部、１４０  画像生成部、１５０  更新部、１６０  受付部、１７０  操作部、１９０  投写部、２２０  インタラクティブメニュー画像（指示画像）、２３０  アイコン、２４０  閉じるボタン、９１０  電源、９２０  ＲＡＭ、９２２  フラッシュＲＯＭ、９３０  ＣＰＵ、９４０  画像処理回路、９６０  ＣＭＯＳセンサー、９７０  操作パネル、９９０  ランプ駆動回路、９９１  ランプ、９９２  照明光学系、９９３  液晶駆動回路、９９４  液晶ライトバルブ、９９５  投写レンズ
【図１】
2012173911.tif 000003
【図２】
2012173911.tif 000004
【図３】
2012173911.tif 000005
【図４】
2012173911.tif 000006
【図５】
2012173911.tif 000007
【図６】
2012173911.tif 000008
【図７】
2012173911.tif 000009
【図８】
2012173911.tif 000010
【図９】
2012173911.tif 000011
【図１０】
2012173911.tif 000012
【図１１】
2012173911.tif 000013
【図１２】
2012173911.tif 000014
【図１３】
2012173911.tif 000015